(57)【要約】【課題】防犯性を高めつつ利便性や意匠性を向上させることができる建具を提供すること。【解決手段】上枠３の屋内見付け部３０に設けた施錠ユニットＲＵの規制部材４３と扉１０の係合ピン４０とが係合して施錠されるので、この規制部材４３と係合ピン４０との係合位置に対し、屋外側から不正操作することができず、さらに係合位置が屋外側から判別できないことから、防犯性を格段に向上させることができる。さらに、係合位置を覆うような突片を扉１０に設ける必要がなくなることから、玄関ドア１の意匠性を向上させることができるとともに、突片に物などが引っ掛かることがなくなって利便性を向上させることができる。【選択図】図６
2009243124.tif 000002
【特許請求の範囲】
【請求項１】
上枠および左右の縦枠を少なくとも有した枠体と、この枠体に開閉自在に支持される扉体とを備えた建具であって、
前記扉体は、左右の縦辺のうちの一方の縦辺が前記縦枠の一方に回動自在に支持され、他方の縦辺が前記縦枠の他方に当接または近接して閉じるとともに、当該他方の縦辺が屋外側に向かって開放可能に構成されており、
前記上枠および縦枠のうちのいずれかには、閉鎖状態の前記扉体の端縁に沿った見込み面部と、この見込み面部よりも見付け方向内側に延びるとともに前記扉体の屋内側に位置する屋内見付け部とが設けられ、
前記屋内見付け部は、中空状に形成されて中空内部に前記扉体の一部と係合可能な錠装置が設けられるとともに、この錠装置と扉体との係合位置よりも見付け方向外側において、当該屋内見付け部の屋外側側面には、前記扉体の屋内側側面に当接可能な気密材が設けられている建具。
【請求項２】
前記屋内見付け部の屋外側側面には、前記錠装置と扉体との係合位置よりも見付け方向内側において、前記扉体の屋内側側面に当接可能または近接可能な見切り材が設けられている請求項１に記載の建具。
【請求項３】
前記錠装置は、前記扉体の屋内側側面に設けた係合ピンと係合することで当該扉体を施錠するものであって、前記屋内見付け部の屋外側側面には、前記係合ピンを挿通させる挿通孔が設けられている請求項１または請求項２に記載の建具。
【請求項４】
前記錠装置が設けられる屋内見付け部は、前記上枠および縦枠のうちの上枠に設けられており、前記左右の縦枠のうちの他方の縦枠には、前記錠装置の施錠および解錠を切り換える錠操作部が設けられている請求項１から請求項３のいずれかに記載の建具。
【請求項５】
前記扉体の一方の縦辺は、前記一方の縦枠に固定される第１支持部材と、この第１支持部材に第１回動軸を介して回動自在に連結される第２支持部材と、この第２支持部材に第２回動軸を介して回動自在に連結されて前記扉体の一方の縦辺に固定される第３支持部材とを有した支持装置を介して前記縦枠の一方に支持されており、
前記支持装置の第２支持部材は、前記扉体の閉鎖状態において、当該扉体の一方の縦辺と前記一方の縦枠の見込み面との間に位置して設けられ、前記第２回動軸は、前記扉体の一方の縦辺における屋内側に位置して設けられ、
前記扉体は、前記第２支持部材が前記一方の縦枠から他方の縦枠に向かうとともに屋外側に向かって回動し、この第２支持部材の回動によって前記第２回動軸が前記一方の縦枠よりも屋外側に突出する第１開放動作と、この突出した第２回動軸を中心として当該扉体が屋外側に回動する第２開放動作とによって開放され、
前記錠装置は、前記一方の縦枠から他方の縦枠に向かう前記扉体の移動を規制する規制部材を有して構成されている請求項１から請求項４のいずれかに記載の建具。
【請求項６】
前記支持装置には、前記第１開放動作において前記第２支持部材を電動で回動させる電動駆動手段が連結されており、
前記屋内見付け部には、前記電動駆動手段を駆動制御する制御手段が設けられている請求項５に記載の建具。
【発明の詳細な説明】
【技術分野】
【０００１】
本発明は、枠体に開閉自在に支持された扉体を備えた建具に関する。
【背景技術】
【０００２】
従来、玄関ドアなどの建具として、枠体に開閉自在に支持された扉体を備え、扉体が屋外側に開放されるものが一般的である（例えば、特許文献１参照）。
特許文献１に記載された従来の建具では、枠体の縦枠と扉体の吊り元側端縁とを連結して扉体を支持する丁番の回動軸が扉体の室外面よりも室外側に設けられ、扉体が屋外側に向かって開放されるようになっている。そして、枠体の屋内よりの位置から見付け方向内側に突出した気密材保持部に気密材が取り付けられ、これらの気密材に扉体の屋内面を当接させて閉鎖されるようになっている。また、扉体の戸先側端縁部には開閉操作用のノブやハンドルと錠装置とが設けられ、戸先側の縦枠には錠受けが設けられ、錠装置のデッドボルトが見付け方向外側に突出して錠受けに挿入されることで施錠されるようになっている。そして、扉体の戸先側端縁部には、当該端縁部と縦枠との隙間を覆う突片が設けられ、屋外側から錠装置の位置に工具等が挿入できないように構成され、防犯性が高められている。
【０００３】
【特許文献１】特開平１０−４６９１９号公報
【発明の開示】
【発明が解決しようとする課題】
【０００４】
しかしながら、特許文献１に記載された従来の建具では、扉体の戸先側端縁部に設けた突片によって防犯性を高めることができるものの、この突片が破壊されてしまうと、扉体と縦枠との隙間から錠装置に工具が届いてしまい、防犯性の向上効果に限界がある。さらに、扉体から突出した突片が設けられることで、建具の意匠性が劣ってしまうとともに、出入りの際に突片に物などが引っ掛かるなどの不都合もある。
【０００５】
本発明の目的は、防犯性を高めつつ利便性や意匠性を向上させることができる建具を提供することにある。
【課題を解決するための手段】
【０００６】
本発明の建具は、上枠および左右の縦枠を少なくとも有した枠体と、この枠体に開閉自在に支持される扉体とを備えた建具であって、前記扉体は、左右の縦辺のうちの一方の縦辺が前記縦枠の一方に回動自在に支持され、他方の縦辺が前記縦枠の他方に当接または近接して閉じるとともに、当該他方の縦辺が屋外側に向かって開放可能に構成されており、前記上枠および縦枠のうちのいずれかには、閉鎖状態の前記扉体の端縁に沿った見込み面部と、この見込み面部よりも見付け方向内側に延びるとともに前記扉体の屋内側に位置する屋内見付け部とが設けられ、前記屋内見付け部は、中空状に形成されて中空内部に前記扉体の一部と係合可能な錠装置が設けられるとともに、この錠装置と扉体との係合位置よりも見付け方向外側において、当該屋内見付け部の屋外側側面には、前記扉体の屋内側側面に当接可能な気密材が設けられていることを特徴とする。
【０００７】
以上の本発明によれば、上枠や縦枠の屋内見付け部に錠装置を設け、この錠装置と扉体の一部とを係合させることで施錠されるので、この錠装置と扉体との係合位置を上枠や縦枠の見込み面部と扉体の端縁との隙間から離すことができる。さらに、見込み面部よりも見付け方向内側に延びる屋内見付け部に錠装置を設けたことで、見込み面部と扉体の端縁との隙間を介して屋外側から係合位置に直線的に到達不能となり、係合位置に工具などが届かないようにできるとともに、屋外側からは錠装置の設置位置自体が判別できなくなることから、防犯性を格段に向上させることができる。また、従来の建具のように、錠装置と扉体との係合位置を覆うような突片を扉体に設ける必要がなくなることから、建具の意匠性を向上させることができるとともに、突片に物などが引っ掛かることもなくなって利便性を向上させることができる。さらに、上枠や縦枠の屋内見付け部において、錠装置と扉体との係合位置よりも見付け方向外側に気密材を設けたことで、つまり係合位置が気密材よりも屋内空間側に位置していることで、係合位置が屋外側から一層判別しにくくできるとともに、係合位置に対する埃などの付着も防止することができる。
【０００８】
この際、本発明の建具では、前記屋内見付け部の屋外側側面には、前記錠装置と扉体との係合位置よりも見付け方向内側において、前記扉体の屋内側側面に当接可能または近接可能な見切り材が設けられていることが好ましい。
このような構成によれば、屋内見付け部の屋外側側面における錠装置と扉体との係合位置よりも見付け方向内側に見切り材を設けたことで、屋内側から係合位置を見切り材で隠蔽することができ、屋内側の意匠性も良好にすることができる。
【０００９】
さらに、本発明の建具では、前記錠装置は、前記扉体の屋内側側面に設けた係合ピンと係合することで当該扉体を施錠するものであって、前記屋内見付け部の屋外側側面には、前記係合ピンを挿通させる挿通孔が設けられていることが好ましい。
このような構成によれば、扉体に設けた係合ピンを屋内見付け部の挿通孔に挿通して錠装置に係合させることで、扉体に取り付けられる部品としては係合ピンだけになるとともに、錠装置の一部を屋内見付け部から屋外側に突出させる必要もなくなることから、扉体を開放した際の扉体の外観や枠体の外観を良好にすることができる。さらに、屋内見付け部に設けた挿通孔が気密材よりも屋内空間側に位置することから、挿通孔が外気に曝されることがなく、挿通孔から屋内見付け部の内部に外気が流入することも防止できる。
【００１０】
また、本発明の建具では、前記錠装置が設けられる屋内見付け部は、前記上枠および縦枠のうちの上枠に設けられており、前記左右の縦枠のうちの他方の縦枠には、前記錠装置の施錠および解錠を切り換える錠操作部が設けられていることが好ましい。
このような構成によれば、上枠の屋内見付け部に錠装置を設けたことで、この錠装置と扉体との係合位置に対して屋外側から不正操作しにくくでき、防犯性をさらに向上させることができる。また、錠装置と係合する部品が扉体の上部に設けられることから、この部品が目立たなくでき、扉体開放時の意匠性を向上させることができる。そして、錠装置を上枠に設けた場合でも錠操作部が他方（戸先側）の縦枠に設けられているので、施錠および解錠の操作が容易に実施でき、利便性を高めることができる。さらに、錠装置を上枠に設け、錠操作部を縦枠に設けたことで、従来のように扉体に操作部を含む錠装置を設けたものと比較して、扉体の屋外面、屋内面に取り付けられる部品が少なくでき、その外観をフラットにして意匠性が向上できる。
【００１１】
さらに、本発明の建具では、前記扉体の一方の縦辺は、前記一方の縦枠に固定される第１支持部材と、この第１支持部材に第１回動軸を介して回動自在に連結される第２支持部材と、この第２支持部材に第２回動軸を介して回動自在に連結されて前記扉体の一方の縦辺に固定される第３支持部材とを有した支持装置を介して前記縦枠の一方に支持されており、前記支持装置の第２支持部材は、前記扉体の閉鎖状態において、当該扉体の一方の縦辺と前記一方の縦枠の見込み面との間に位置して設けられ、前記第２回動軸は、前記扉体の一方の縦辺における屋内側に位置して設けられ、前記扉体は、前記第２支持部材が前記一方の縦枠から他方の縦枠に向かうとともに屋外側に向かって回動し、この第２支持部材の回動によって前記第２回動軸が前記一方の縦枠よりも屋外側に突出する第１開放動作と、この突出した第２回動軸を中心として当該扉体が屋外側に回動する第２開放動作とによって開放され、前記錠装置は、前記一方の縦枠から他方の縦枠に向かう前記扉体の移動を規制する規制部材を有して構成されていることが好ましい。
【００１２】
ここで、本発明の建具において、前記扉体は、前記開放動作と逆の閉鎖動作によって閉鎖され、具体的には、前記突出した第２回動軸を中心として当該扉体が屋内側に回動して当該扉体の他方の縦辺が前記他方の縦枠に近接する第１閉鎖動作と、前記支持装置の第２支持部材が屋内側に向かって回動するとともに前記他方の縦枠から一方の縦枠に向かって回動する第２閉鎖動作とによって閉鎖されるようになっている。
以上の構成によれば、扉体を開放する初期の動作において、第１開放動作によって第２支持部材が前記一方の縦枠から他方の縦枠に向って回動することで、この移動に伴って扉体も他方の縦枠に向かって移動することとなるが、錠装置の規制部材が扉体の他方の縦枠に向かう移動を規制することで、扉体が施錠されることとなる。従って、扉体と枠体の屋内見付け部とが互いに見込み方向に対向する閉鎖状態において、見込み方向と交差する方向（一方の縦枠から他方の縦枠に向かう方向）の移動を規制することで、扉体と錠装置の規制部材との係合に要する係合力が小さくても確実に施錠することができ、錠装置の構造が簡単化できるとともに小型化を図ることができる。
【００１３】
この際、本発明の建具では、前記支持装置には、前記第１開放動作において前記第２支持部材を電動で回動させる電動駆動手段が連結されており、前記屋内見付け部には、前記電動駆動手段を駆動制御する制御手段が設けられていることが好ましい。
このような構成によれば、第１開放動作を電動駆動手段によって実施することで、利便性を向上させることができるとともに、錠装置が設置される屋内見付け部に制御手段も設けたことで、屋内見付け部の中空内部の空間を有効利用することができる。また、錠装置における施解錠の動作を電動で実施する場合などには、その制御を制御手段によって行うようにすれば、制御手段を統合して一貫したスムーズな制御が可能になり、扉体の開閉動作を安定させつつ円滑に実施することができる。
【発明を実施するための最良の形態】
【００１４】
以下、本発明の実施形態を図面に基づいて説明する。
図１は、本発明の実施形態に係る建具である玄関ドア１を示す縦断面図である。図２は、玄関ドア１を示す横断面図である。図３は、玄関ドア１における扉１０の開閉動作（第１開放動作および第２閉鎖動作）を示す横断面図である。図４は、玄関ドア１における扉１０の開閉動作（第２開放動作および第１閉鎖動作）を示す横断面図である。
図１および図２において、玄関ドア１は、外壁開口部に固定される枠体２と、この枠体２に開閉自在に支持される扉（扉体）１０とを備えて構成されている。枠体２は、上枠３、下枠４および左右の縦枠５，６を有して構成されている。
【００１５】
扉１０は、四周枠組みされた上枠材１１、下枠材１２および左右の縦枠材１３，１４と、これらの各枠材１１，１２，１３，１４の屋内外にそれぞれ固定された内外一対の金属製のパネル１５，１６と、屋内外のパネル１５，１６間に設けられた樹脂製の断熱材１７とを備えて構成されている。また、左右の縦枠材１３，１４のうち、一方（図２の左側であり吊り元側）の縦枠材１３には、当該縦枠材１３に沿って上下に延びる吊元端縁部材１８が固定され、他方（図２の右側であり戸先側）の縦枠材１４には、当該縦枠材１４に沿って上下に延びる戸先端縁部材１９が固定されている。そして、縦枠材１３および吊元端縁部材１８によって扉１０の一方の縦辺が構成され、縦枠材１４および戸先端縁部材１９によって扉１０の他方の縦辺が構成されている。また、吊元端縁部材１８には、樹脂製のカバー部材１８Ａが取り付けられ、戸先端縁部材１９には、樹脂製のカバー部材１９Ａが取り付けられている。
【００１６】
上枠３は、図１に示すように、略矩形中空断面を有して建物躯体に固定される上枠本体３Ａと、この上枠本体３Ａの屋内側に設けられる上枠屋内部材３Ｂと、これらの上枠本体３Ａと上枠屋内部材３Ｂとを連結する上下２つの断熱部材３Ｃと、上枠本体３Ａの上部屋外側に連結されて建物躯体に固定される上枠固定部材３Ｄと、上枠本体３Ａの上部屋外側かつ上枠固定部材３Ｄの下側に取り付けられる上枠屋外部材３Ｅとを有して構成されている。さらに、上枠屋内部材３Ｂの屋内側側面には、上枠カバー部材３Ｆが取り付けられ、この上枠カバー部材３Ｆを上枠屋内部材３Ｂに取り付けることで中空状の屋内見付け部３０が形成されている。そして、上枠屋内部材３Ｂの下部屋外面部３３（後述）には、気密材３Ｇが取り付けられており、この気密材３Ｇが閉鎖状態における扉１０のパネル１５の上端縁屋内面に当接可能になっている。さらに、上枠屋内部材３Ｂの下部屋外面部３３下端部には、屋外側に突出した軟質樹脂製の見切り材３Ｈが取り付けられ、この見切り材３Ｈが閉鎖状態における扉１０のパネル１５に近接して位置するようになっている。また、上枠本体３Ａの中空内部には、扉１０の開閉速度を抑制するとともに扉１０を閉鎖方向に付勢する閉鎖装置５０（図６〜図８参照）の装置本体５１が設けられ、装置本体５１と扉１０の上枠材１１に設けたスライダ５３とがアーム５２を介して連結されている。また、下枠４には、扉１０のパネル１５の下端縁屋内面に当接可能な気密材４Ｇが取り付けられている。
【００１７】
次に、一方の縦枠である縦枠５は、図２に示すように、略矩形中空断面を有して建物躯体に固定される縦枠本体５Ａと、この縦枠本体５Ａとともに建物躯体に固定される縦枠固定部材５Ｂと、縦枠本体５Ａおよび縦枠固定部材５Ｂの屋内側に設けられる縦枠屋内部材５Ｃと、縦枠本体５Ａおよび縦枠固定部材５Ｂと縦枠屋内部材５Ｃとを連結する２つの断熱部材５Ｄとを有して構成されている。さらに、縦枠本体５Ａは、その屋外側位置にて見付け方向内側に延びる見付け片部５Ｅと、この見付け片部５Ｅの屋外側に取り付けられる縦枠屋外部材５Ｆとを有して構成されている。また、縦枠屋内部材５Ｃの先端部屋外側には、気密材５Ｇが取り付けられており、この気密材５Ｇが閉鎖状態における扉１０のパネル１５の吊り元側端縁屋内面に当接可能になっている。さらに、縦枠本体５Ａの見付け片部５Ｅ先端部には、屋内側に突出した軟質樹脂製の見切り材５Ｈが取り付けられ、この見切り材５Ｈが閉鎖状態における扉１０のパネル１６に近接して位置するようになっている。また、縦枠本体５Ａと縦枠屋内部材５Ｃとで囲まれた内部には、後述する支持装置２０と、この支持装置２０の第２支持部材２３を駆動して扉１０を開閉動作させる電動駆動手段としての電動駆動ユニットＤＵ（図５および図７参照）とが設けられている。この電動駆動ユニットＤＵは、前記上枠３に設けた扉開閉制御ユニットＣＵからの指令を受けて作動するものであって、支持装置２０の第２支持部材２３を回転駆動するモータ等を有して構成されている。
【００１８】
次に、他方の縦枠である縦枠６は、前記縦枠本体５Ａよりも見付け寸法が大きな略矩形中空断面を有して建物躯体に固定される縦枠本体６Ａと、この縦枠本体６Ａとともに建物躯体に固定される縦枠固定部材６Ｂと、縦枠本体６Ａおよび縦枠固定部材６Ｂの屋内側に設けられる縦枠屋内部材６Ｃと、縦枠本体６Ａおよび縦枠固定部材６Ｂと縦枠屋内部材６Ｃとを連結する３つの断熱部材６Ｄとを有して構成されている。さらに、縦枠本体６Ａは、その屋外側位置にて見付け方向内側に延びる見付け片部６Ｅと、この見付け片部６Ｅの屋外側に取り付けられる前記縦枠屋外部材５Ｆと同様の縦枠屋外部材６Ｆとを有して構成されている。また、縦枠屋内部材６Ｃの先端部屋外側には、気密材６Ｇが取り付けられており、この気密材６Ｇが閉鎖状態における扉１０のパネル１５の戸先側端縁屋内面に当接可能になっている。さらに、縦枠本体６Ａの見付け片部６Ｅ先端部には、屋内側に突出した軟質樹脂製の見切り材６Ｈが取り付けられ、この見切り材６Ｈが閉鎖状態における扉１０のパネル１６に近接して位置するようになっている。また、縦枠本体６Ａ内部と縦枠屋内部材６Ｃ内部とを連通した中空空間内部には、施錠ユニットＲＵや電動駆動ユニットＤＵを操作するための錠操作部としての操作ユニットＯＵが設けられている。この操作ユニットＯＵは、屋外側または屋内側から押しボタンを押し込んだり、あるいは非接触型カードをかざしたりすることで、施錠ユニットＲＵの施解錠を切り換え操作したり、電動駆動ユニットＤＵによる扉１０の開閉駆動を操作したりなどができるようになっている。
【００１９】
次に、扉１０は、一方の縦枠である縦枠５に支持装置２０を介して支持され、屋外側に開放されるようになっている。支持装置２０は、一方の縦枠５に固定される第１支持部材２１と、この第１支持部材２１に第１回動軸２２を介して回動自在に連結される第２支持部材２３と、この第２支持部材２３に第２回動軸２４を介して回動自在に連結される第３支持部材２５とを有して構成されている。そして、第３支持部材２５が扉１０の一方の縦枠材１３および吊元端縁部材１８に固定されている。この支持装置２０において、第１支持部材２１は、縦枠５における縦枠本体５Ａの見込み面に固定されて見付け片部５Ｅの内側に沿って延び、この先端に設けられた第１回動軸２２を中心にして第２支持部材２３が回動自在に支持されている。そして、第２支持部材２３は、平面略Ｕ字形に曲がった形態を有するとともに、扉１０閉鎖状態において、吊元端縁部材１８と縦枠本体５Ａとの間に位置して設けられ、その先端の第２回動軸２４は、扉１０の吊元端縁部材１８における屋内側に位置して設けられている。
【００２０】
以上のような支持装置２０に支持された扉１０は、閉鎖状態において、図２および図３の仮想線（二点鎖線）で示すように、縦枠５，６の見付け片部５Ｅ，６Ｅよりも屋内側に位置するとともに、扉１０の左右側端縁が見付け片部５Ｅ，６Ｅ先端と見込み方向に重なった状態となっている。この際、縦枠５，６に設けた見切り材５Ｈ，６Ｈの先端がパネル１６に近接することで、扉１０の左右側端縁が屋外側から見えないとともに、扉１０と縦枠本体５Ａ，６Ａとの間の空間も屋外側から見えないようになっている。さらに、閉鎖状態において扉１０の屋内側のパネル１５は、上枠３の気密材３Ｇ、下枠４の気密材４Ｇおよび左右の縦枠５，６の気密材５Ｇ，６Ｇに当接することで、玄関ドア１の気密性、水密性が確保されるようになっている。また、上枠３の見切り材３Ｈの先端が屋内側のパネル１５上端部に近接することで、扉１０と上枠屋内部材３Ｂとの隙間が屋内側から見えないようになっている。
【００２１】
次に、操作ユニットＯＵの操作に基づき扉開閉制御ユニットＣＵからの駆動指令を受けた電動駆動ユニットＤＵの駆動によって、図３の実線で示すように、支持装置２０の第２支持部材２３が回動され、第２回動軸２４が縦枠５よりも屋外側に移動されることで、扉１０の吊り元側の側端縁が縦枠５よりも屋外側に突出した位置に移動される（第１開放動作）。この第１開放動作では、支持装置２０の第２支持部材２３が図３における反時計回りに回動し、すなわち、第２支持部材２３が一方の縦枠５から他方の縦枠６に向かいつつ屋外側に向かって回動することで、扉１０は、先ず他方の縦枠６に向かって押されて移動し、次に吊り元側の側端縁が屋外側に突出しつつ一方の縦枠５側に戻るように動作することとなる。そして、第１開放動作によって、支持装置２０の第２支持部材２３は、縦枠５の見付け片部５Ｅの先端部を囲むように位置し、扉１０の一方の側端縁は、見付け片部５Ｅの屋外側に重なって位置するとともに、扉１０の戸先側の側端縁は、見付け片部６Ｅよりも屋内側でかつ見付け片部６Ｅの先端よりも見付け方向内側に離れて位置することになる。
【００２２】
次に、図４に示すように、縦枠５よりも屋外側に移動された支持装置２０の第２回動軸２４を中心として、扉１０が屋外側に回動される（第２開放動作）。この第２開放動作では、電動駆動ユニットＤＵによって支持装置２０の第２支持部材２３の回動がロックされ、第２回動軸２４が移動しないようになっており、扉１０のハンドルを利用者が屋内側から押したり屋外側から引いたりなどの手動によって、扉１０が屋外側に開放できるようになっている。そして、第２開放動作によって全開位置まで開放された扉１０は、前記閉鎖装置５０のアーム５２がロックされることで全開位置に保持できるようになっている。
一方、扉１０の閉鎖動作としては、縦枠５よりも屋外側に移動された第２回動軸２４を中心として、手動により扉１０が屋内側に回動して扉１０の戸先側の側端縁が縦枠６の見付け片部６Ｅよりも屋内側まで移動する（第１閉鎖動作）。この第１閉鎖動作に続いて、操作ユニットＯＵの操作に基づき扉開閉制御ユニットＣＵからの駆動指令を受けた電動駆動ユニットＤＵの駆動によって、図３に示すように、支持装置２０の第２支持部材２３が時計回りに回動され、これにより扉１０の吊り元側の側端縁が屋内側に回動し、扉１０の左右側端縁が縦枠５，６の見付け片部５Ｅ，６Ｅよりも屋内側で見込み方向に重なる閉鎖状態まで移動する（第２閉鎖動作）。以上の第１閉鎖動作および第２閉鎖動作によって扉１０が閉鎖されるようになっている。
【００２３】
次に、上枠３の構造および扉１０の施錠構造について、図５〜図８も参照して説明する。ここで、図５は、上枠３を屋内側から見た正面図である。図６は、上枠３を拡大して示す縦断面図である。図７は、扉１０を開放した状態を屋外側から見た斜視図である。図８は、扉１０を開放した状態を上方から見た平面図である。
上枠３における屋内見付け部３０の内部には、図５に示すように、錠装置としての施錠ユニットＲＵ、認証ユニットＡＵ、制御手段としての扉開閉制御ユニットＣＵが設けられ、一方の縦枠５の上部には、電動駆動ユニットＤＵが設けられている。施錠ユニットＲＵは、操作ユニットＯＵの操作によって扉開閉制御ユニットＣＵから出力される指令に基づき解錠動作するとともに、扉１０が閉鎖された際に自動的に施錠するように構成されている。また、認証ユニットＡＵは、操作ユニットＯＵに設けた指紋読み取り装置やカード読み取り装置などからの信号を受け、この信号を解析して解錠の可否を認証し、認証結果の信号を扉開閉制御ユニットＣＵに送信するものである。
【００２４】
上枠３の上枠屋内部材３Ｂは、図６に示すように、屋内側に開口した断面略コ字形に形成され、上面部３１と、上下の断熱部材３Ｃ間に位置する上部屋外面部３２と、この上部屋外面部３２の下方に連続して上枠本体３Ａの底面で構成される見込み面部３９よりも下方（見付け方向内側）に延びる下部屋外面部３３と、下部屋外面部３３の下端縁から屋内側に延びる上枠底面部３４とを有して形成されている。そして、上枠カバー部材３Ｆは、上面部３１の屋内側端部に係止されるとともに、上枠底面部３４の屋内側端部にビス止め固定されて、上枠屋内部材３Ｂに取り付けられている。また、前記気密材３Ｇは、下部屋外面部３３の上部に取り付けられ、見切り材３Ｈは、下部屋外面部３３の下端部に取り付けられるとともに、これらの気密材３Ｇと見切り材３Ｈとの間において施錠ユニットＲＵの前方位置には、扉１０の係合ピン４０を挿通させる挿通孔３５が形成されている。
【００２５】
また、図６〜図８に示すように、扉１０の上部における屋内側側面には、施錠ユニットＲＵに係合される係合ピン４０が固定されている。この係合ピン４０は、扉１０の上枠材１１に固定されるベース４１と、このベース４１から屋内側に突出する突出ピン４２とを有して構成されている。一方、施錠ユニットＲＵには、挿通孔３５の内部側に位置する規制部材４３が設けられ、扉１０を閉鎖した際に挿通孔３５から挿通された突出ピン４２が規制部材４３に係合することで、扉１０が移動不能に施錠されるようになっている。ここで、挿通孔３５は、左右に長尺に形成され、つまり前述のように第１開放動作時の扉１０が一方の縦枠５から他方の縦枠６に向かって移動する際、および第２閉鎖動作時に他方から一方に移動する際に、係合ピン４０が左右に移動する距離に応じた長さ寸法を有して形成されている。
【００２６】
そして、扉１０の第２閉鎖動作時において、係合ピン４０の突出ピン４２は、挿通孔３５の他方の縦枠６側に挿通されてから一方の縦枠５に向かって移動し、施錠ユニットＲＵの規制部材４３は、一方側に移動する突出ピン４２を受け止めつつ係合し、係合ピン４０つまり扉１０の他方側への移動を規制するように構成されている。また、規制部材４３は、操作ユニットＯＵの操作に基づき扉開閉制御ユニットＣＵからの駆動指令を受けた施錠ユニットＲＵに駆動されて回動し、これにより規制部材４３と突出ピン４２との係合が外れ、扉１０の移動規制が解除されるようになっている。また、施錠ユニットＲＵには、図７に示すように、非常開放部４４が設けられており、図示しない操作ユニットＯＵ内部の非常開放操作部を操作することで、非常開放部４４の突出しアームが扉１０を屋外側に押し出し、これにより電動駆動ユニットＤＵが動作不能になった場合であっても、扉１０が開放できるようになっている。
【００２７】
一方、閉鎖装置５０は、図６および図８に示すように、上枠３の上枠本体３Ａ内部に設けられる装置本体５１と、この装置本体５１から下方に突出する回動軸に一端が連結されたアーム５２と、このアーム５２の他端に連結されたスライダ５３と、扉１０の上枠材１１に設けられてスライダ５３をスライド自在に案内するレール５４とを有して構成されている。装置本体５１は、その内部にばねとオイルダンパーあるいはエアダンパーとを備え、回動軸を介してアーム５２を付勢することで扉１０を閉鎖方向に引き寄せるとともに、回動軸の回転に伴うダンパーの減衰力によって扉１０の開閉速度を減速させるものである。また、レール５４が設けられる上枠材１１は、図６に示すように、上方に開口した断面略コ字形に形成され、屋内外の立上片１１Ａ，１１Ｂと底面部１１Ｃとを有して構成されている。この上枠材１１における屋内側の立上片１１Ａは、屋外側の立上片１１Ｂよりも上端位置が低く形成され、扉１０開閉時のアーム５２が屋内側の立上片１１Ａの上方を通過できるように構成されている。そして、扉１０の閉鎖状態においては、屋外側の立上片１１Ｂによってアーム５２が覆われて、屋外側から閉鎖装置５０が見えないようになっている。
【００２８】
このような本実施形態によれば、以下のような効果がある。
（１）すなわち、上枠３の屋内見付け部３０に施錠ユニットＲＵが設けられ、この施錠ユニットＲＵの規制部材４３と扉１０の係合ピン４０とが係合することで施錠されるので、この規制部材４３と係合ピン４０との係合位置に対し、屋外側から上枠３の見込み面部３９と扉１０の上端縁との隙間を介して直線的に到達できない。さらに、施錠ユニットＲＵの規制部材４３と扉１０の係合ピン４０との係合位置が、屋外側から判別できないことも併せて、係合位置を屋外側から不正操作できないようにでき、防犯性を格段に向上させることができる。
【００２９】
（２）さらに、施錠ユニットＲＵの規制部材４３と扉１０の係合ピン４０との係合位置が屋外側から見えないことで、従来の建具のように、係合位置を覆うような突片を扉１０に設ける必要がなくなることから、玄関ドア１の意匠性を向上させることができるとともに、突片に物などが引っ掛かることがなくなって利便性を向上させることができる。また、施錠ユニットＲＵの他に認証ユニットＡＵや扉開閉制御ユニットＣＵも屋内見付け部３０に内蔵したことで、屋内見付け部３０の中空内部空間を有効利用することができる。
【００３０】
（３）また、規制部材４３と係合ピン４０との係合位置よりも上側に気密材３Ｇが設けられ、係合位置が気密材３Ｇよりも屋内空間側に位置していることで、この係合位置が屋外側から一層判別しにくくできるとともに、係合位置に対する埃などの付着も防止することができる。そして、上枠３の屋内見付け部３０に設けた挿通孔３５が気密材３Ｇよりも屋内空間側に位置することから、挿通孔３５から屋内見付け部３０の内部への外気の流入が防止できる。また、屋内見付け部３０の下端部に見切り材３Ｈが設けられているので、屋内側から係合ピン４０が見えないようにでき、屋内側の意匠性も良好にすることができる。
【００３１】
（４）また、施錠ユニットＲＵの規制部材４３によって係合ピン４０および扉１０の移動を規制して施錠する際に、他方の縦枠６側（扉１０の開放方向と交差する方向）への扉１０の移動が規制されることで、係合ピン４０と規制部材４３との係合に要する係合力が小さくても確実に施錠することができ、施錠ユニットＲＵの構造が簡単化できるとともに小型化を図ることができる。そして、扉１０の開放方向への移動を規制する施錠構造ではないため、屋外側から扉１０のハンドルを引っ張って無理に開こうとするような不正操作が行われたとしても、その力が施錠ユニットＲＵの規制部材４３にかかることがなく、施錠ユニットＲＵの破損を防止することができ、この点でも防犯性を向上させることができる。
【００３２】
なお、本発明は、前記実施形態に限定されるものではなく、本発明の目的が達成できる他の構成等を含み、以下に示すような変形等も本発明に含まれる。
例えば、前記実施形態においては、玄関ドア１を例示して説明したが、本発明の建具としては、玄関ドア１に限らず、扉体が回動開閉可能に設けられた建具であればよく、例えば、任意の窓や出入り口、屋内に設けられる可動間仕切りなどであってもよい。
また、前記実施形態では、扉１０の第１開放動作および第２閉鎖動作が電動駆動ユニットにより実施される半自動（電動）の玄関ドア１について説明したが、本発明の建具としては、手動操作のみによって扉体が開閉されるものであってもよく、また全自動（電動）で扉体が開閉されるものであってもよい。
【００３３】
また、前記実施形態では、縦枠５，６に見付け片部５Ｅ，６Ｅを設け、これらの見付け片部５Ｅ，６Ｅの屋内側に閉鎖状態の扉１０の側端縁が隠蔽される構成を採用したが、縦枠５，６の見付け片部５Ｅ，６Ｅは必須ではなく、省略することができる。
さらに、前記実施形態では、上枠３の屋内見付け部３０に設けた施錠ユニットＲＵによって扉１０の施錠、解錠を切り換えるとともに、縦枠６に設けた操作ユニットＯＵによって施錠ユニットＲＵを操作する構成としたが、本発明の建具における錠装置は、上枠に限らず、縦枠に設けられていてもよい。また、錠装置やその操作手段の構成は、前記実施形態のものに限定されず、一般的な玄関ドアに用いられるデッドボルトおよびボルト受けを有した構成であってもよい。
【００３４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３５】
【図１】本発明の実施形態に係る建具を示す縦断面図である。
【図２】前記建具を示す横断面図である。
【図３】前記建具における扉体の開閉動作を示す横断面図である。
【図４】前記扉体の開閉動作を示す横断面図である。
【図５】前記建具における上枠を屋内側から見た正面図である。
【図６】前記上枠を拡大して示す縦断面図である。
【図７】前記扉体を開放した状態を屋外側から見た斜視図である。
【図８】前記扉体を開放した状態を上方から見た平面図である。
【符号の説明】
【００３６】
１…玄関ドア（建具）、２…枠体、３…上枠、３Ｇ…気密材、３Ｈ…見切り材、５，６…縦枠、１０…扉（扉体）、２０…支持装置、２１…第１支持部材、２２…第１回動軸、２３…第２支持部材、２４…第２回動軸、２５…第３支持部材、３０…屋内見付け部、３５…挿通孔、４０…係合ピン、４３…規制部材、ＣＵ…扉開閉制御ユニット（制御手段）、ＤＵ…電動駆動ユニット（電動駆動手段）、ＯＵ…操作ユニット（錠操作部）、ＲＵ…施錠ユニット（錠装置）。
【図１】
2009243124.tif 000003
【図２】
2009243124.tif 000004
【図３】
2009243124.tif 000005
【図４】
2009243124.tif 000006
【図５】
2009243124.tif 000007
【図６】
2009243124.tif 000008
【図７】
2009243124.tif 000009
【図８】
2009243124.tif 000010